【手続補正書】
【提出日】平成19年3月13日(2007.3.13)
【手続補正１】
【補正対象書類名】明細書
【補正対象項目名】発明の名称
【補正方法】変更
【補正の内容】
【発明の名称】船荷証券の発行方法
【手続補正２】
【補正対象書類名】明細書
【補正対象項目名】特許請求の範囲
【補正方法】変更
【補正の内容】
【特許請求の範囲】
【請求項１】  貨物の出荷要求に応じ、荷積み用出船の予定情報に上記貨物の出荷指示情報を付加して船荷証券用ドラフト情報を作成するステップと、
上記船荷証券用ドラフト情報に、船荷証券番号と船荷証券発行日付を付加して船荷証券を発行するステップとによって、船荷証券を発行するようにしたことを特徴とする船荷証券の発行方法。
【手続補正３】
【補正対象書類名】明細書
【補正対象項目名】０００１
【補正方法】変更
【補正の内容】
【０００１】
【発明の属する技術分野】
この発明は、通信ネットワーク回線や専用のネットワーク回線を使用することによってその機能が発揮される集中物流管理システムに適用して好適な、船荷証券の発行方法に関する。
【手続補正４】
【補正対象書類名】明細書
【補正対象項目名】００１６
【補正方法】変更
【補正の内容】
【００１６】
【課題を解決するための手段】
上述の課題を解決するため、請求項１に記載したこの発明に係る船荷証券の発行方法では、出荷要求に応じ、確認用出船予定情報に出荷指示情報を付加して船荷証券用ドラフト情報を作成するステップと、船荷証券用ドラフト情報に、船荷証券番号と船荷証券発行日付を付加して船荷証券を発行するステップとによって、船荷証券を発行するようにしたことを特徴とする。
【手続補正５】
【補正対象書類名】明細書
【補正対象項目名】００１７
【補正方法】変更
【補正の内容】
【００１７】
なお、本発明では、出船予定情報蓄積手段と、貨物の出荷指示情報の蓄積手段と、これら２つの蓄積手段より読み出した出船予定情報と出荷指示情報から、特定の出船予定に対してブッキングを行うブッキング手段と、出船予定情報とブッキング情報から、貨物に対して発行される船荷証券のドラフト情報を作成する作成手段と、ブッキング情報およびドラフト情報を配信する配信手段とで構成され、この作成手段で作成されたドラフト情報に、証券番号と証券発行日付が付加されて船荷証券が作成されるようにしたことを特徴とする船荷証券の発行装置としても良い。
【手続補正６】
【補正対象書類名】明細書
【補正対象項目名】００１８
【補正方法】変更
【補正の内容】
【００１８】
また、本発明では、貨物の出荷指示を出すサイトと、物流業者側のサイトとが通信ネットワーク回線で相互に接続され、情報が電子データとして流通する船荷証券発行システムであって、出船予定情報を蓄積する蓄積手段と、出荷指示情報を蓄積する蓄積手段と、特定の出船予定に対してブッキングを行ったときの出船予定に関連する情報を船荷証券用ドラフト情報として蓄積するドラフト情報蓄積手段と、受信した船荷証券用ドラフト情報に証券番号と証券発行日付を付して船荷証券とするため、船荷証券用ドラフト情報を物流業者側サイトに通信回線を介して配信する配信手段を有することを特徴とする船荷証券発行システムとしても良い。
【手続補正７】
【補正対象書類名】明細書
【補正対象項目名】００１９
【補正方法】変更
【補正の内容】
【００１９】
更に、本発明では、貨物の出荷から着荷までの貨物トラッキング情報などをストアしたデータベースに、トラッキング照会用ポータルサイトを経由してアクセスがあったときには、アクセス照合処理を経て、貨物の出荷から着荷までのトラッキング情報、貨物の属性情報を検索できるようにしたことを特徴とする貨物トラッキング情報の検索方法としても良い。
【手続補正８】
【補正対象書類名】明細書
【補正対象項目名】００２０
【補正方法】変更
【補正の内容】
【００２０】
また、本発明では、貨物の出荷から着荷までの貨物トラッキング情報などをストアしたデータベースが、物流業者側サイトおよび顧客側サイトと回線を介して接続され、物流業者側サイト又は顧客側サイトとの照合結果が一致したとき、データベースより貨物トラッキング情報をアクセスできるようにしたことを特徴とする貨物トラッキング情報の検索システムとしても良い。
【手続補正９】
【補正対象書類名】明細書
【補正対象項目名】００２１
【補正方法】変更
【補正の内容】
【００２１】
また、本発明では、出荷指示情報と、貨物の配送経路から算出された貨物に対する物流費をストアするステップと、出荷指示情報のうち貨物依頼人を指定することで物流費をストアした物流費管理ファイルをアクセスするステップと、物流費管理ファイルより貨物依頼人に関連する情報を読み出して貨物に対する物流費の請求書を発行するステップと、この請求書情報を電子データとして貨物依頼人側にサイトに回線を介して配信するステップとを有することを特徴とする貨物の物流費請求方法としても良い。
【手続補正１０】
【補正対象書類名】明細書
【補正対象項目名】００２２
【補正方法】変更
【補正の内容】
【００２２】
また、本発明では、出荷指示情報と、貨物の配送経路から算出された貨物に対する物流費の蓄積手段と、物流費管理蓄積手段より貨物依頼人に関連する情報を読み出して貨物に対する物流費の請求書を発行する請求書発行手段を有することを特徴とする貨物の請求書発行システムとしても良い。
【手続補正１１】
【補正対象書類名】明細書
【補正対象項目名】００２３
【補正方法】変更
【補正の内容】
【００２３】
また、本発明では、目的地への貨物の着荷が完了したことを示す情報を貨物トラッキング情報に追加するステップと、代金決済タイミングを判断するステップと、代金決済タイミングであるとき、読み出した船荷証券情報から代金決済情報を取り出し、決済依頼先に回線を介して送信するステップとからなることを特徴とする代金決済方法としても良い。
【手続補正１２】
【補正対象書類名】明細書
【補正対象項目名】００２４
【補正方法】変更
【補正の内容】
【００２４】
また、本発明では、目的地への貨物の着荷が完了したことを示す情報を含んだ貨物トラッキング情報の蓄積手段と、代金決済タイミングを判断手段と、代金決済タイミングであるとき、読み出した船荷証券情報から代金決済情報を取り出し、決済依頼先に回線を介して送信する配信手段とからなることを特徴とする代金決済システムとしても良い。
【手続補正１３】
【補正対象書類名】明細書
【補正対象項目名】００２５
【補正方法】変更
【補正の内容】
【００２５】
また、本発明では、貨物の損害情報を記録した貨物トラッキング情報の蓄積手段と、保険契約情報をストアした蓄積手段と、ノミネートされた複数の物流業者情報をストアした蓄積手段とを有し、貨物トラッキング情報として保存されている損害情報と、保険契約情報から、物流業者を再登録するためのノミネート情報を決定するようにしたことを特徴とする物流業者選定システムとしても良い。
【手続補正１４】
【補正対象書類名】明細書
【補正対象項目名】００４８
【補正方法】変更
【補正の内容】
【００４８】
（４）貨物管理処理
貨物が最終的にエンドユーザである顧客に届くまでの実物の管理を行う。そのためには在庫情報や貨物トラッキング情報が利用され、これによって誰の（オーナー）、何が（製品や部品）、何台（数量）、どこに（場所）に保管されているかを把握できる。
【手続補正１５】
【補正対象書類名】明細書
【補正対象項目名】００５２
【補正方法】変更
【補正の内容】
【００５２】
データベースサーバ７０には、図３に示すように少なくとも次の５つのＷｅｂポータルが用意されている。
（ａ）出船時刻表（ベセルスケジュール）を入出力するときにアクセスするためのベセルスケジュールポータル７５
（ｂ）出荷指示情報を入出力するときにアクセスする出荷指示ポータル７６
（ｃ）貨物のトラッキング情報を入出力するときにアクセスするオーダートラッキングポータル７７
（ｄ）貨物のロケーション情報を入出力するときにアクセスするロケーションポータル７８および
（ｅ）物流費など総括的な情報の入出力するときにアクセスするサーチポータル７９
【手続補正１６】
【補正対象書類名】明細書
【補正対象項目名】００５６
【補正方法】変更
【補正の内容】
【００５６】
これらの他に、貨物の入出庫を管理するためのマスタファイル１０６があって、これはデータベース化されている。同様に、損害保険に関するデータベース１０７や代金決済のためのデータベース１０８などが設けられている。
【手続補正１７】
【補正対象書類名】明細書
【補正対象項目名】００６６
【補正方法】変更
【補正の内容】
【００６６】
次にベセルスケジュールの更新の有無を監視し、新しいベセルスケジュールの受信が行われたときには、データベース８１への更新処理を許可する（ステップ１２３，１２４）。そして更新された新しいベセルスケジュールに基づいて、ローカルサイトへの配信処理が自動的になされる（ステップ１２５）。これでベセルスケジュールが事前に提供されたことになる。したがって、この処理はベセルスケジュールが更新されるたびに自動的に行われる。
【手続補正１８】
【補正対象書類名】明細書
【補正対象項目名】００８２
【補正方法】変更
【補正の内容】
【００８２】
図１４に示すように、物流業者側に設置されている貨物トラッキングのデータベース８６には、貨物の出荷、倉庫への搬入日時や、搬入した貨物の出荷および納品完了日時などの基本的なトラッキング情報のほかに次のような情報が順次最新の情報として更新される。
【手続補正１９】
【補正対象書類名】明細書
【補正対象項目名】００８４
【補正方法】変更
【補正の内容】
【００８４】
もちろんその貨物が輸出されるものであるならば、その貨物が輸出通関手続きに入っているのか、出港したのか、着港したのか、あるいは輸入通関手続きに入っているのかなどの貨物ステータス情報が貨物トラッキングデータベース８６に逐一蓄積される。したがってこのデータベース８６を検索することで、現在の貨物の居場所が判ることになる。
【手続補正２０】
【補正対象書類名】明細書
【補正対象項目名】００９５
【補正方法】変更
【補正の内容】
【００９５】
図２０はこの支払い処理例を示すものである。
物流費の支払い請求の着信があると、該当する支払い物流費を支払い物流費管理用のマスタファイル１０５から読み出し、両者の照合をとる（ステップ１７１，１７２，１７３）。照合した結果、内容が一致しているときには支払いの指示を行うための支払い指示書の作成を行い（ステップ１７４）、その配信をイントラネット４０を経由して該当するローカルサイト５０に電子データとして配信する（ステップ１７５）。この支払い指示を終了した段階で支払い履歴用のデータベース９３に支払い内容を記録して物流費の支払い処理が終了する（ステップ１７６）。ステップ１７３で照合が一致していないときには、その確認処理となり（ステップ１７７）、確認されるとステップ１７４以降の処理を行う。
【手続補正２１】
【補正対象書類名】明細書
【補正対象項目名】００９９
【補正方法】変更
【補正の内容】
【００９９】
該当する代金決済のタイミングとなっている情報があると、次はデータベース８２より船荷証券情報を読み出して決済の指示がなされる（ステップ１８４）。決済書は電子データとして決済依頼先（銀行など）にインターネット３０を経由して依頼して決済処理が終了する（ステップ１８５）。
【手続補正２２】
【補正対象書類名】明細書
【補正対象項目名】０１０７
【補正方法】変更
【補正の内容】
【０１０７】
請求管理データベース１８９に蓄積された支払い保険料などはイントラネット４０を経由してローカルサイト５０に配信されて、保険料の請求が行われる。ローカルサイト５０では保険料の支払い指示を同じくイントラネット４０を介してポータルサイト側に行い、ポータルサイト側では請求管理データベース１８９の情報と照合し、一致しているときは支払い管理データベース２００より該当する保険料が保険代理店や損害保険会社６２に支払われる。保険料の支払いの確認（受領確認）もインターネット３０を介して行われる。
【手続補正２３】
【補正対象書類名】明細書
【補正対象項目名】０１１６
【補正方法】変更
【補正の内容】
【０１１６】
したがって、保険業者はインターネット３０を経由して直接このトラッキングデータベース８９にアクセスできるようになされ、その損害状況の確認をとれるようになっている。この実施の形態では、損害状況の確認がとれたならば、保険業者が損害保険金額を算定して、貨物依頼人に対してインターネット３０、イントラネット４０を経由して直接保険金を支払うシステムとなっている。なお、貨物依頼人や顧客がこの損害状況を確認するときには、保険ポータルの保険求償トラッキング検索の項目をアクセスすればよい。
【手続補正２４】
【補正対象書類名】明細書
【補正対象項目名】０１３６
【補正方法】変更
【補正の内容】
【０１３６】
なお、出荷指示用データベース８２には、上述した物流基本６情報の他に、たとえば図３１に示すようなこの物流基本６情報に関連した各種の情報（顧客出荷オーダー番号や業者への出荷指示番号など）も、船荷証券のドラフト作成情報として蓄積されている。
【手続補正２５】
【補正対象書類名】明細書
【補正対象項目名】０１３７
【補正方法】変更
【補正の内容】
【０１３７】
また、この船荷証券自動発行システムには、この船荷証券発行処理の他に、船荷証券ドラフトが物流業者に配信されると、運送業者や船会社への貨物送り状が発行されたり、さらに物流業者に届いた海外からの貨物の着荷情報がポータルサイト側に寄せられる。この情報に基づいてポータルサイト側では輸入手続きの準備に入ることになる。さらに、貨物の最新トラッキング情報から貨物のダメージ情報（ＣＡＲ情報）を入手して、ポータルサイト側の貨物トラッキング用データベース８３に保存したりする処理が行われる。
【手続補正２６】
【補正対象書類名】図面
【補正対象項目名】図１９
【補正方法】変更
【補正の内容】
【図１９】
2002312446.tif 000001